(57)【要約】【課題】簡単な構造で、朝、昼、夕方でも、発電量が比較的大きく、発電量を平準化することができ、気候変動の影響の少ない固定式の太陽光発電装置を提供する。【解決手段】太陽光発電装置１００は、複数の太陽電池モジュール１を備える太陽光パネル２と、太陽光パネル２を規定の仰角に傾斜させて支持する架台３と、を有する。太陽光パネルユニット１０（１１、１２、１３）は、太陽光パネル２と架台３とをそれぞれ備える。南向きの太陽光パネルユニット１１は、南東向きの太陽光パネルユニット１２と、南西向きの太陽光パネルユニット１３との間に配置されている。太陽光パネル２の受光面の方位角が基準方位（南）となるように配置さている。南東向きの太陽光パネルユニット１２及び南西向きの太陽光パネルユニット１３は、それぞれ南向きの太陽光パネルユニット１１側の端部が、南向きの太陽光パネルユニット１１の左右の端部に近接して配置されている。【選択図】図１
2013171861.tif 000002
【特許請求の範囲】
【請求項１】
複数の太陽電池モジュールを平面状に並べて配置した矩形状の太陽光パネルと、前記太陽光パネルを規定の仰角に傾斜させて支持する架台と、を有する太陽光発電装置であって、
前記太陽光パネルと前記架台とをそれぞれ備える、第１、第２、第３の太陽光パネルユニットを有し、
前記第１の太陽光パネルユニットは、前記第２の太陽光パネルユニットと、前記第３の太陽光パネルユニットとの間に配置され、且つ、前記太陽光パネルの受光面の方位角が基準方位となるように配置され、
前記第２および第３の太陽光パネルユニットは、それぞれ前記第１の太陽光パネルユニット側の端部が、該第１の太陽光パネルユニットの端部に近接して配置され、
前記第２および第３の太陽光パネルユニットは、それぞれの前記太陽光パネルの前記受光面の方位角が前記基準方位に対して互いに背け合う方向に、該基準方位に対して０°より大きく且つ９０°以下の範囲内で所定角度をなすように配置されていることを特徴とする太陽光発電装置。
【請求項２】
前記第２および第３の太陽光パネルユニットは、前記太陽光パネルの前記受光面の方位角が、前記基準方位に対して、３５°〜５５°の角度をなすように配置されていることを特徴とする請求項１に記載の太陽光発電装置。
【請求項３】
前記第１の太陽光パネルユニットは、前記受光面の方位角が南に規定されていることを特徴とする請求項１または請求項２に記載の太陽光発電装置。
【請求項４】
前記第１、第２、第３の太陽光パネルユニットの架台は、細長部材で形成された骨組み構造を有し、
前記架台は、前記細長部材の支柱上に前記太陽光パネルを傾斜させて支持し、
前記第１、第２、第３の太陽光パネルユニットの前記太陽光パネルの下端より下方に、積雪空間兼通風路が形成され、
前記第１の太陽光パネルユニットの太陽光パネルの、前記第２、第３の太陽光パネルユニット側の側面部と、前記第２、第３の太陽光パネルユニットの太陽光パネルの、前記第１の太陽光パネルユニット側の側面部との間に、三角形状通風路が形成されていることを特徴とする請求項１から請求項３のいずれかに記載の太陽光発電装置。
【請求項５】
前記第１の太陽光パネルユニットの太陽光パネルの、前記第２、第３の太陽光パネルユニット側の側面上部と、前記第２、第３の太陽光パネルユニットの太陽光パネルの、前記第１の太陽光パネルユニット側の側面とが、直接または固定部材を介して固定されていることを特徴とする請求項１から請求項４のいずれかに記載の太陽光発電装置。
【請求項６】
前記第２の太陽光パネルユニット：前記第１の太陽光パネルユニット：前記第３の太陽光パネルユニットそれぞれの受光面の面積の比が２：α：２、０．５≦α≦３に規定されていることを特徴とする請求項１から請求項５のいずれかに記載の太陽光発電装置。
【請求項７】
前記第１の太陽光パネルユニットの太陽光パネルの受光面が、前記第２および第３の太陽光パネルユニットの太陽光パネルの受光面の仰角よりも大きい角度に傾斜して設置されていることを特徴とする請求項１から請求項６のいずれかに記載の太陽光発電装置。
【発明の詳細な説明】
【技術分野】
【０００１】
本発明は、太陽光発電装置に関する。
【背景技術】
【０００２】
太陽からの光を太陽電池パネルで受光して電力に変換する技術が知られている。一般的な太陽電池パネルは、受光面が規定の方位角（北半球では南を基準として０°）、且つ、約３０°程度の仰角となるように、地面や屋根などに並べて固定されている。
【０００３】
また、太陽電池パネルの方位角や仰角を太陽の動きに追尾させて発電する技術が知られている（例えば、特許文献１参照）。
【先行技術文献】
【特許文献】
【０００４】
【特許文献１】特許第４５１４８２７号公報
【発明の概要】
【発明が解決しようとする課題】
【０００５】
しかしながら、上述した複数の太陽電池パネルを南向きに並べて固定した太陽光発電装置では、朝や夕方、太陽電池パネルの受光面への受光量が小さく、発電量が小さい。
また、朝、昼、夕方で天候が変化する場合、単純に複数の太陽電池パネルを南向きに並べて固定した場合では、設置位置から南方向の天候の変動の影響を受けやすい。
このため、朝、昼、夕方でも、発電量が比較的大きい太陽光発電装置が望まれている。
また、比較的大きい面積の太陽電池パネルは、雪や風の影響を受けやすい。このため、雪や風による影響の少ない構造の太陽光発電装置が望まれている。
【０００６】
特許文献１に記載された太陽追尾式発電システムは、固定式と比較して複雑な構造を要する。また、太陽追尾式発電システムは、太陽を追尾する機構が雪や風圧の影響を受けやすい場合がある。
【０００７】
本発明は、上述した問題に鑑みてなされたもので、簡単な構造で、朝、昼、夕方でも、発電量が比較的大きく、発電量を平準化することができ、気候変動の影響の少ない固定式の太陽光発電装置を提供することを目的とする。
【課題を解決するための手段】
【０００８】
本発明の太陽光パネルユニットは、複数の太陽電池モジュールを平面状に並べて配置した矩形状の太陽光パネルと、前記太陽光パネルを規定の仰角に傾斜させて支持する架台と、を有する太陽光発電装置であって、前記太陽光パネルと前記架台とをそれぞれ備える、第１、第２、第３の太陽光パネルユニットを有し、前記第１の太陽光パネルユニットは、前記第２の太陽光パネルユニットと、前記第３の太陽光パネルユニットとの間に配置され、且つ、前記太陽光パネルの受光面の方位角が基準方位となるように配置され、前記第２および第３の太陽光パネルユニットは、それぞれ前記第１の太陽光パネルユニット側の端部が、該第１の太陽光パネルユニットの端部に近接して配置され、前記第２および第３の太陽光パネルユニットは、それぞれの前記太陽光パネルの前記受光面の方位角が前記基準方位に対して互いに背け合う方向に、該基準方位に対して９０°の範囲内で所定角度をなすように配置されている。
【発明の効果】
【０００９】
本発明によれば、簡単な構造で、朝、昼、夕方でも、発電量が比較的大きく、発電量を平準化することができ、気候変動の影響の少ない固定式の太陽光発電装置を提供することができる。
【図面の簡単な説明】
【００１０】
【図１】本発明の実施形態に係る太陽光パネルユニットを用いた太陽光発電装置の一例を示す斜視図。
【図２】本発明の実施形態に係る太陽光パネルユニットの分解斜視図。
【図３】本発明の実施形態に係る太陽光パネルユニットの太陽電池モジュールの一例を示す図。
【図４】本発明の実施形態に係る太陽光パネルユニットの配置の一例を示す図、（ａ）は複数の太陽光パネルの平面図、（ｂ）は複数の太陽光パネルの方位角の一例を示す平面図、（ｃ）は各太陽光パネルの仰角の一例を示す図。
【図５】本発明の実施形態に係る太陽光発電装置の電気的な構成の一例を示す図。
【図６】本発明の実施形態に係る太陽光発電装置の発電量の概念図。
【図７】本発明の実施形態に係る太陽光発電装置の発電量の一例を示す図。
【図８】本発明の他の実施形態に係る複数の太陽光パネルユニットの配置の一例を示す図。
【発明を実施するための形態】
【００１１】
図１は、本発明の実施形態に係る太陽光パネルユニット１０を用いた太陽光発電装置１００の一例を示す斜視図、図２は太陽光パネルユニット１０の分解斜視図、図３は太陽光パネルユニット１０の太陽電池モジュール１の一例を示す図である。
図４は、本発明の実施形態に係る太陽光パネルユニット１０の配置の一例を示す図であり、詳細には、図４（ａ）は複数の太陽光パネル２の平面図、図４（ｂ）は複数の太陽光パネル２の方位角の一例を示す平面図、図４（ｃ）は各太陽光パネル２の仰角の一例を示す図である。
【００１２】
本発明の実施形態に係る太陽光発電装置１００は、図１、図２、図３に示したように、複数の太陽光パネルユニット１０を有する。各太陽光パネルユニット１０は、太陽光パネル２と、太陽光パネル２を規定の仰角に傾斜させて支持する架台３と、を有する。
【００１３】
各太陽光パネルユニット１０の架台３は、金属製の細長部材３ｄで形成された骨組み構造を有する。この架台３は、細長部材３ｄの支柱３ａ上に、太陽光パネル２を支持する支持枠３ｂが形成されており、その支持枠３ｂに太陽光パネル２を傾斜させて支持している。
【００１４】
図１、図２に示したように、各太陽光パネルユニット１0の太陽光パネル２の下端より下方に、積雪空間兼通風路３ｃが形成されている。
【００１５】
太陽光パネル２は、複数の太陽電池モジュール１を平面状に並べて配置されており、矩形状に形成されている。太陽電池モジュール１は、図３に示したように、平面内に複数の受光面２ａが配列され、各受光面２ａで太陽光を受け、光起電力効果により光エネルギーを直接電力に変換する。各太陽電池モジュール１は、電気的に接続されている。
【００１６】
本実施形態では太陽光発電装置１００は、太陽光パネル２の受光面２ａの方位角の異なる第１、第２、第３の太陽光パネルユニットとして、太陽光パネルユニット１１、１２、１３を有する。太陽光パネルユニット１２は、太陽光パネルユニット１２ａ、１２ｂで構成されている。太陽光パネルユニット１３は、太陽光パネルユニット１３ａ、１３ｂで構成されている。
【００１７】
図４（ａ）、図４（ｂ）に示したように、太陽光パネルユニット１１は、太陽光パネルユニット１２と、太陽光パネルユニット１３との間に配置されている。
太陽光パネルユニット１１は、太陽光パネル２の受光面２ａの方位角が基準方位（南向き）となるように配置されている。太陽光パネル２の受光面２ａの方位角φ11が０°に規定されている。尚、太陽光パネルユニット１１の太陽光パネル２の受光面２ａの方位角は、太陽光パネルユニット１０の設置場所、周囲の建物、周囲の自然環境、日射条件などに応じて適宜最適な方向に設定する。
【００１８】
太陽光パネルユニット１２と太陽光パネルユニット１３は、それぞれ太陽光パネルユニット１１側の端部（側面部）１２ｃ、１３ｃが、太陽光パネルユニット１１の端部（側面部）１１ａ、１１ｂに近接して配置されている。
【００１９】
また、図４（ａ）、図４（ｂ）に示したように、太陽光パネルユニット１２と太陽光パネルユニット１３は、それぞれの太陽光パネル２の受光面２ａが基準方位（南）に対して互いに背け合う方向に、その基準方位（南）に対して０°より大きく、９０°以下の範囲内で所定角度φ12、φ13をなすように配置されている。
【００２０】
本実施形態では、太陽光パネルユニット１２は、それぞれ太陽光パネル２の受光面２ａの方位角φ12が、基準方位（南）を基準として東向きに４５°となるように設置されている。太陽光パネルユニット１３は、それぞれ太陽光パネル２の受光面２ａの方位角φ13が、基準方位（南）を基準として西向きに４５°となるように設置されている。
【００２１】
つまり、太陽光パネルユニット１２は、太陽光パネル２の受光面２ａが南東向きとなるように設置され、太陽光パネルユニット１３は、太陽光パネル２の受光面２ａが南西向きとなるように設置されている。
【００２２】
太陽光パネルユニット１２、１３は、太陽光パネル２の受光面２ａの方位角φ12、φ13が、基準方位（南）に対して互いに背け合う方向に３５°〜５５°の角度をなすように規定されていてもよい。
【００２３】
また、各太陽光パネルユニット１１、１２、１３の受光面の面積の比は、詳細には、南東向き太陽光パネルユニット１２：南向き太陽光パネルユニット１１：南西向き太陽光パネルユニット１３それぞれの受光面の面積の比が２：α：２、但し、０．５≦α≦３に規定されている。
【００２４】
具体的には、南東向き太陽光パネルユニット１２：南向き太陽光パネルユニット１１：南西向き太陽光パネルユニット１３それぞれの受光面の面積の比が、２：１：２の場合、発電量を１００％とする。２：２：２では９６％程度、２：３：２では９０％程度、２：０．５：２では６０％程度となる。
このため、上記面積比２：α：２において、０．５≦α≦３と規定したが、１≦α≦２であることが好ましく、最適にはα＝１である。太陽光発電装置１００は、この面積比の場合、各太陽光パネルの合計発電量が最大となり、且つ、朝、昼、夕方で、電力ピークが最適に平準化される。
【００２５】
本実施形態では、図１、図４（ｃ）に示したように、太陽光パネルユニット１１の太陽光パネル２の受光面２ａの仰角θ11と、太陽光パネルユニット１２の太陽光パネル２の受光面２ａの仰角θ12と、太陽光パネルユニット１３の太陽光パネル２の受光面２ａの仰角θ13は、同じ仰角となるように設定されている。
【００２６】
また、本発明の実施形態に係る太陽光発電装置１００は、図１、図４に示したように、太陽光パネルユニット１１の太陽光パネル２の、太陽光パネルユニット１２、１３側の側面部１１ａ、１１ｂと、太陽光パネルユニット１２、１３の太陽光パネル２の、太陽光パネルユニット１１側の側面部１２ｃ、１３ｃとの間に、三角形状通風路３１ｃ、３２ｃが形成されている。
【００２７】
また、太陽光発電装置１００は、図１、図４に示したように、太陽光パネルユニット１１の太陽光パネル２の、太陽光パネルユニット１２、１３側の側面部１１ａ、１１ｂの上部と、太陽光パネルユニット１２、１３の、第１の太陽光パネルユニット側の側面部１２ｃ、１３ｃとが、直接または固定部材７を介して固定することで、さらに、強度を大きくすることができる。
【００２８】
この各太陽光パネル２の受光面２ａの仰角θ11、θ12、θ13は、太陽光パネル２の設置場所の緯度、季節、降雪量、などに基いて適宜設定することが好ましい。本実施形態では、各太陽光パネル２の受光面２ａの仰角θ11、θ12、θ13は、約３０°〜４５°の範囲の値に規定する。寒冷地では降雪を考慮し、仰角θ11、θ12、θ13を４５°に設定することが好ましい。
【００２９】
尚、図４（ｃ）に示したように、太陽光パネルユニット１１の太陽光パネル２の受光面２ａは、その受光面２ａの仰角θ11が、太陽光パネルユニット１２、１３の太陽光パネルの仰角θ12、θ13よりも大きい角度となるように傾斜して設置してもよい。具体的には、仰角θ12、θ13が４５°、仰角θ11が３０°程度となるように設定してもよい。
【００３０】
図５は、本発明の実施形態に係る太陽光発電装置１００の電気的な構成の一例を示す図である構成図である。図５に示したように、太陽光パネルユニット１１、１２、１３は、接続箱１０２、１０３を介してパワーコンディショナ１０４、本実施形態では、２つのパワーコンディショナ１０５、１０６に接続されている。
【００３１】
パワーコンディショナ１０５、１０６は、太陽光パネルユニット１１、１２、１３から出力された直流電力を交流電力に変換して、漏電遮断器１０８を介して、分電盤１０９に出力する。また、パワーコンディショナ１０６には、電力量を監視して、電力量を表示するモニタ１０７が接続されている。また、太陽光パネルユニット１１、１２、１３と、パワーコンディショナ１０５、１０６との間に、２次電池などの蓄電装置を必要に応じて設けてもよい。
【００３２】
分電盤１０９は、売電用電力計１１１、買電用電力計１１２を介して、商用電源（交流電源）１１３に接続されている。売電用電力計１１１は、太陽光パネルユニット１０で発電した電力が商用電源１１３へと供給された電力量を計測する。買電用電力計１１２は、商用電源１１３から供給された電力量を計測する。
また、分電盤１０９には、電気器具などの一般負荷１１０が接続可能である。
【００３３】
図６は、本発明の実施形態に係る太陽光発電装置１００の発電量の概念図である。図６を参照しながら、太陽光発電装置１００の一日の発電量を説明する。
太陽光パネルユニット１１、１２、１３の発電量Ｐ１１、Ｐ１２、Ｐ１３は、それぞれの太陽光パネルの受光面の向きと太陽の動きに応じた時間に、最大ピーク値を有する。
【００３４】
詳細には、図６に示したように、朝の時間帯（７時〜１０時頃）、南東向きに設置された太陽光パネルユニット１２の発電量Ｐ１２が、他の太陽光パネルユニット１１、１３の発電量Ｐ１１、Ｐ１３と比較して大きい。
昼の時間帯（１１時〜１３時頃）、南向きに設置された太陽光パネルユニット１１の発電量Ｐ１１が、他の太陽光パネルユニット１２、１３の発電量Ｐ１２、Ｐ１３と比較して大きい。
夕方の時間帯（１１時〜１３時頃）、南向きに設置された太陽光パネルユニット１３の発電量Ｐ１３が、他の太陽光パネルユニット１１、１２の発電量Ｐ１１、Ｐ１２と比較して大きい。
【００３５】
太陽光発電装置１００の発電量は、各太陽光パネルユニット１１、１２、１３の発電量Ｐ１１、Ｐ１２、Ｐ１３の合計発電量Ｐ１０であり、この合計発電量Ｐ１０は、図６に示したように、朝、昼、夕方の各時間帯で平準化された値となる。
【００３６】
＜計測例＞
本願発明者は、本発明の実施形態に係る太陽光発電装置１００の効果を確認するために、太陽光発電装置１００を作製して、発電量Ｐ１０を計測した。
【００３７】
詳細には、横１３１０ｍｍ×縦９９０ｍｍ、最大出力１８５Ｗの太陽電池モジュール１を１００枚（合計最大出力１８．５ｋＷ）準備し、図１に示すように、南向き太陽光パネルユニット１１、南西向き太陽光パネルユニット１２、太陽光パネルユニット１３を作製した。
つまり、南向き太陽光パネルユニット１１の太陽光パネル２の受光面２ａの方位角は、０°（南向き）である。南東向き太陽光パネルユニット１２と南西向き太陽光パネルユニット１２、１３は、太陽光パネル２の受光面２ａの方位角が、基準方位（南）に対して互いに背け合う方向に、その基準方位に対して４５°の角度をなすように配置されている。
【００３８】
南向き太陽光パネルユニット１１は、縦４枚×横５枚、合計２０枚（１ブロック分）の太陽電池モジュール１を平面状に並べて配置している。太陽光パネル２の大きさは、縦３９６０ｍｍ×横６５５０ｍｍである。南東向き太陽光パネルユニット１２は、２ブロック分の太陽光パネルの大きさ、縦３９６０ｍｍ×横１３１００ｍｍとなっている。南西向き太陽光パネルユニット１３は、２ブロック分の太陽光パネルの大きさ、縦３９６０ｍｍ×横１３１００ｍｍとなっている。
【００３９】
つまり、太陽光パネル２の面積比で、南東：南：南西＝２：１：２となっており、南東面と南西面を真南より方位角４５°ずつ角度をつけて設置することで、朝や夕方の発電効率を上げ、１日の発電量を増加させた構造となっている。
【００４０】
各太陽光パネルユニット１１、１２、１３は、積雪等を考慮して、太陽光パネル２の最下端部が設置面（地面）から高さ１０００ｍｍとなるように配置し、仰角を４５°に設定した。
【００４１】
また、比較例の太陽光発電装置として、横１３１０ｍｍ×縦９９０ｍｍ、最大出力２００Ｗの太陽電池モジュール１を４５枚（合計最大出力９ｋＷ）準備して、平面状に並べ、全て方位角０°（南向き）、仰角を４５°とした。
【００４２】
図７に示したように、本発明の実施形態に係る太陽光発電装置１００は、朝９時から夕方１５時まで、発電量が比較的大きく、発電量が平準化されている。一日の総発電量は、８１．９８ｋＷｈであった。比較例の太陽光発電装置では、一日の総発電量は、３７．４８ｋＷｈであった。太陽光発電装置１００は、比較例の太陽光発電装置と比較して、太陽電池モジュール１の使用量が約２倍であり、総発電量は２倍以上となった。
【００４３】
なお、計測中に１０時３０分頃、雲が出現した際、比較例の太陽光発電装置では、発電量が低下した。本発明の実施形態に係る太陽光発電装置１００では、発電量の低下がほとんど計測できなかった。つまり、太陽光発電装置１００は、天候の変動に比較的強い。よって、本発明に係る太陽光発電装置１００は、比較例の太陽光発電装置と比較して、費用対効果が大きい。
【００４４】
以上、説明したように、本発明の実施形態に係る太陽光発電装置１００は、複数の太陽電池モジュール１を平面状に並べて配置した矩形状の太陽光パネル２と、太陽光パネル２を規定の仰角に傾斜させて支持する架台３と、を有する。太陽光発電装置１００は、太陽光パネル２と架台３とをそれぞれ備える太陽光パネルユニット１１、１２、１３を有する。
太陽光パネルユニット１１は、太陽光パネルユニット１２と、太陽光パネルユニット１３との間に配置され、且つ、太陽光パネル２の受光面２ａの方位角が基準方位となるように配置されている。太陽光パネルユニット１２、１３は、それぞれ太陽光パネルユニット１１側の端部（側面部）１２ｃ、１３ｃが、太陽光パネルユニット１１の端部（側面部）１１ａ、１１ｂに近接して配置されている。また、太陽光パネルユニット１２、１３は、それぞれの太陽光パネル２の受光面２ａの方位角が基準方位に対して互いに背け合う方向に、該基準方位に対して０°より大きく且つ９０°以下の範囲内で所定角度をなすように配置されている。
【００４５】
このため、簡単な構造で、朝、昼、夕方でも、発電量が比較的大きく、発電量を平準化することができ、気候変動の影響の少ない固定式の太陽光発電装置１００を提供することができる。
【００４６】
また、本発明の実施形態では、太陽光パネルユニット１２、１３は、太陽光パネル２の受光面２ａの方位角が、基準方位に対して、３５°〜５５°の角度をなすように配置されている。このため、朝、昼、夕方でも、発電量が比較的大きく、発電量を平準化することができる固定式の太陽光発電装置１００を提供することができる。
【００４７】
また、本発明の実施形態に係る太陽光発電装置１００は、太陽光パネルユニット１１の太陽光パネル２の受光面２ａの方位角が南に規定されている。このため、各太陽光パネルユニット１１、１２、１３による合計発電量が、朝、昼、夕方でも比較的大きい、太陽光発電装置１００を提供することができる。
【００４８】
また、本発明の実施形態に係る太陽光発電装置１００は、太陽光パネルユニット１１、１２、１３の架台３が細長部材で形成された骨組み構造を有する。この架台３は、図２に示したように、細長部材３ｄの支柱３ａ上に太陽光パネル２を傾斜させて支持している。また、太陽光パネルユニット１１、１２、１３の太陽光パネル２の下端より下方に、積雪空間兼通風路３ｃが形成されている。このため、積雪や強風の影響が比較的小さい太陽光発電装置１００を提供することができる。
【００４９】
また、太陽光パネルユニット１１の太陽光パネル２の、太陽光パネルユニット１２、１３側の側面部１１ａ、１１ｂと、太陽光パネルユニット１２、１３の太陽光パネル２の、太陽光パネルユニット１１側の側面部１２ｃ、１３ｃとの間に、三角形状通風路３１ｃ、３２ｃ形成されているので、比較的強風であっても、太陽光パネル２への風による力が比較的小さく、強風による影響の少ない太陽光発電装置１００を提供することができる。
【００５０】
また、本発明の実施形態に係る太陽光発電装置１００は、太陽光パネルユニット１１の太陽光パネル２の、太陽光パネルユニット１１側の側面部の上部と、太陽光パネルユニット１２、１３の太陽光パネル２の、太陽光パネルユニット１１側の側面部１２ｃ、１３ｃとが、直接または固定部材７を介して固定することで、さらに大きな強度を有する太陽光発電装置１００を提供することができる。
【００５１】
また、本発明の実施形態に係る太陽光発電装置１００は、太陽光パネルユニット１２：太陽光パネルユニット１１：太陽光パネルユニット１３それぞれの受光面２ａの面積の比が２：α：２、０．５≦α≦３に規定されているので、簡単な構造で、朝、昼、夕方でも、発電量が比較的大きく、発電量を平準化することができ、気候変動の影響の少ない固定式の太陽光発電装置１００を提供することができる。
【００５２】
また、本発明の実施形態に係る太陽光発電装置１００は太陽光パネルユニット１１の太陽光パネル２の受光面２ａが、太陽光パネルユニット１２、１３の太陽光パネル２の受光面２ａの仰角よりも大きい角度に傾斜して設置してもよい。こうすることで、太陽が南中する昼の時間帯に太陽光パネルユニット１１の発電量を向上させ、朝の時間帯に太陽光パネルユニット１２の発電量を向上させ、夕方の時間帯に太陽光パネルユニット１３の発電量を向上させることができ、且つ、朝、昼、夕方の各太陽光パネルユニット１１、１２、１３の合計発電量を平準化することができる。
【００５３】
また、比較例として太陽追尾型の太陽光発電装置では、比較的複雑な構造を有し、製造コストが比較的大きく、煩雑なメンテナンス作業を要する。
本発明の実施形態に係る太陽光発電装置１００は、上述したように、簡単な構造で、朝、昼、夕方でも、発電量が比較的大きく、発電量を平準化することができる。
また、低価格の太陽電池モジュールを用いて、低い製造コストで、高性能の太陽光発電装置１００を作製することができる。
【００５４】
また、太陽光発電装置１００は、図８に示したように、太陽光パネルユニット１１、１２、１３で構成される太陽光パネルユニット１０を、南北方向に沿って規定間隔に並べて配置してもよい。こうすることで、発電量の大きい太陽光発電装置１００を提供することができる。
【００５５】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００５６】
１  太陽電池モジュール
２  太陽光パネル
２ａ  受光面
３  架台
３ａ  支柱
３ｂ  支持枠
３ｃ  積雪空間兼通風路
３ｄ  細長部材
７  固定部材
１０  太陽光パネルユニット（全太陽光パネルユニット）
１１  太陽光パネルユニット（第１の太陽光パネルユニット：南向き）
１１ａ、１１ｂ  側面部（端部）
１２、１２ａ、１２ｂ  太陽光パネルユニット（第２の太陽光パネルユニット：南東向き）
１２ｃ  側面部（端部）
１３、１３ａ、１３ｂ  太陽光パネルユニット（第３の太陽光パネルユニット：南西向き）
１３ｃ  側面部（端部）
３１ｃ  通風路
３２ｃ  通風路
１００  太陽光発電装置
１０２、１０３  接続箱
１０４、１０５、１０６  パワーコンディショナ
１０７  モニタ
１０８  漏電遮断器
１０９  分電盤
１１０  一般負荷
１１１  売電用電力計
１１２  買電用電力計
１１３  商用電源
【図１】
2013171861.tif 000003
【図２】
2013171861.tif 000004
【図３】
2013171861.tif 000005
【図４】
2013171861.tif 000006
【図５】
2013171861.tif 000007
【図６】
2013171861.tif 000008
【図７】
2013171861.tif 000009
【図８】
2013171861.tif 000010